(57)【要約】【課題】電子化された辞書において入力した文字列の検索結果一覧を表示する際に、一覧の中から素早く希望の項目を選択できる電子辞書装置を提供する。【解決手段】この電子辞書装置は、辞書データを格納した辞書部２５と、前記辞書データの項目について分類情報を記憶する分類情報記憶部２６と、検索文字列を入力する入力部２１と、前記入力部２１で入力された検索文字列を前記辞書部２５から検索する検索部２４と、前記検索部２４で検索された結果の一覧を表示する表示部２７と、これらの各部を制御する制御部２０とを備え、前記表示部２７で検索結果一覧を表示する際、前記分類情報記憶部２６を参照して、設定された分類情報を検索結果の各項目に付加し、分類によって表示を変えた一覧を表示する。使用者は、入力した文字列の検索結果一覧の中から素早く希望の項目を選択できるようなる。【選択図】　　　　図２
2004118476.tif 000002
【特許請求の範囲】
【請求項１】
入力された検索文字列に対応する辞書データを辞書部から検索し、検索された辞書データの項目について設定されている分類情報を付加するとともに、分類によって検索結果一覧の表示を変えるようにしたことを特徴とする電子辞書装置。
【請求項２】
辞書データを格納した辞書部と、前記辞書データの項目について分類情報を記憶する分類情報記憶部と、検索文字列を入力する入力部と、前記入力部で入力された検索文字列を前記辞書部から検索する検索部と、前記検索部で検索された結果の一覧を表示する表示部と、これらの各部を制御する制御部とを備え、前記表示部で検索結果一覧を表示する際、前記分類情報記憶部を参照して、設定された分類情報を検索結果の各項目に付加し、分類によって表示を変えるようにして、入力された文字列の検索結果一覧の中から使用者が素早く希望の項目を選択できるようにしたことを特徴とする電子辞書装置。
【請求項３】
請求項２に記載の電子辞書装置において、前記分類情報記憶部は、辞書データの項目を学習対象学年に基づく難易度で分類するようにしたことを特徴とする電子辞書装置。
【請求項４】
請求項２または３に記載の電子辞書装置において、絞込を行う分類情報を設定する絞込設定部を備え、前記表示部で検索結果の一覧表示をする際、前記絞込設定部で設定した分類情報を基に検索結果を絞込んで、使用者が希望する分類に属する項目のみの一覧を表示するようにしたことを特徴とする電子辞書装置。
【請求項５】
請求項２、３または４に記載の電子辞書装置において、並び替えを行う分類情報を設定する並替設定部を備え、前記表示部で検索結果の一覧表示をする際、前記並替設定部で設定した分類情報を基に検索結果を並び替えて、使用者が設定した優先順位で並び替えた一覧を表示するようにしたことを特徴とする電子辞書装置。
【請求項６】
電子辞書の項目を分類する分類情報を設定しておき、入力された文字列をキーとして電子辞書から検索候補となる辞書データを検索し、検索された辞書データの表示方法を前記分類情報に基づき変えて表示し、さらに、前記分類情報に基づき検索結果の一覧を並び替え、あるいは絞り込みを行って表示するようにしたことを特徴とする電子辞書の検索結果表示方法。
【請求項７】
コンピュータを用いて、電子辞書の検索結果を表示するためのプログラムであって、前記コンピュータに、請求項１乃至５のいずれか１に記載の電子辞書装置の機能を実行させるためのプログラム。
【請求項８】
請求項７に記載のプログラムを記録したコンピュータ読み取り可能な記録媒体。
【発明の詳細な説明】
【０００１】
【発明の属する技術分野】
本発明は、入力文字列に対応する辞書データの内容を表示する電子辞書装置、電子辞書の検索結果表示方法、プログラムおよび記録媒体に関する。
【０００２】
【従来の技術】
近年、英和や和英など複数辞書の内容をデータベース化し、入力文字列をキーとしてデータベースを検索する電子辞書装置が多く開発されている。
これらの電子辞書装置では、一般に単語に係わる文字列をキーボードから入力し、電子辞書内の対応する辞書データを検索し、検索結果を表示させる方式が採用されており、使用者が製本された辞書をひくのに比べて短時間で容易に希望する項目を検索することができる。
【０００３】
しかし、入力した文字列に対する検索結果として表示される項目数が多い場合、あるいは検索したい項目の正確な文字列を使用者が知らない場合、表示された一覧の中から使用者が真に検索したい項目を選択する手間が大きくなり、検索結果一覧の中から素早く希望の項目を選択できるように表示したいという要望が発生している。
【０００４】
特許文献１の「電子辞書」では、入力された単語を単語辞書から検索し、その入力された単語に対応する訳の内容を表示するときに、表示される内容中に重要度により層別された重要単語があれば他の単語と異なる表示を行うことで、重要単語を見つけやすくしている。
【０００５】
また、特許文献２の「辞書引き頻度デ−タ出力可能な電子辞書装置」では、複数の品詞を兼ねる単語に関して、辞書引きされた頻度のデータを品詞ごとに記憶しておき、入力単語に対応する辞書データを表示するとき、記憶している辞書引き頻度データに基づいて品詞ごとの辞書引き頻度と全品詞の合計辞書引き頻度とを辞書データと関連付けて出力させることにより、例えば、学習に使用する場合であれば、辞書引き頻度データが高い単語はそれだけ重要であり、また、ユーザーがその単語を自分のものにしていない場合が多いから、その頻度データの高い単語をピックアップして重点的に学習することで、重要な、あるいは苦手な単語のマスターに役立てることができる。
【０００６】
【特許文献１】
特開平１１−１７５５２８号公報
【特許文献２】
特公平７−１２０３５４号公報
【０００７】
【発明が解決しようとする課題】
しかしながら、上述のような方法では、使用者がある単語から関連する他の単語を調べる、あるいは、ある単語を重点的に暗記学習するという場合には効果的であるが、情報を検索するという目的で使用する場合には多くの一覧項目の中から使用者が真に検索したい項目を選択しにくい。
【０００８】
本発明は、上記のような実情を考慮してなされたものであって、電子化された辞書において入力した文字列の検索結果一覧を表示する際に、一覧の中から素早く希望の項目を選択できる電子辞書装置、電子辞書の検索結果表示方法、電子辞書装置の機能を実行するためのプログラムおよびそのプログラムを記録したコンピュータ読み取り可能な記録媒体を提供することを目的とする。
【０００９】
【課題を解決するための手段】
上記の課題を解決するために、本発明の電子辞書装置は、辞書データを格納した辞書部と、前記辞書データの項目について分類情報を記憶する分類情報記憶部と、検索文字列を入力する入力部と、前記入力部で入力された検索文字列を前記辞書部から検索する検索部と、前記検索部で検索された結果の一覧を表示する表示部と、これらの各部を制御する制御部とを備えており、検索結果一覧を表示する際、前記分類情報記憶部を参照して、設定された分類情報を検索結果の各項目に付加し、分類によって表示を変えるようにした。
また、絞込を行う分類情報を設定する絞込設定部および／または並び替えを行う分類情報を設定する並替設定部を備えて、検索結果の一覧表示をする際、設定した分類情報を基に検索結果を絞込んだり、検索結果を並び替えるようにした。さらに、使用者は、表示された検索結果一覧から希望の項目を選択すると訳語などの詳細な内容が表示される。
【００１０】
したがって、入力された文字列の検索結果一覧の中から項目を選択して内容を表示させなくても探し当てたい項目に該当するかどうかを使用者が判断しやすくなり、素早く希望の項目を選択することができる。
【００１１】
【発明の実施の形態】
以下、図面を参照して本発明の電子辞書装置に係る一実施形態を説明する。
図１は、本発明の一実施形態の構成を示す概観図であり、同図において、この電子辞書装置の正面パネルには、ＬＣＤ１１、ファンクションキー１２、アルファベット／かなキー群１３、電源スイッチ１４、決定キー１５、スクロールキー１６が設けられている。
【００１２】
ＬＣＤ１１は、入力された文字や、その文字により表される単語などの検索結果などが表示される。
ファンクションキー１２は、例えば、英和キー、和英キー、絞込キー１２ａ、並替キー１２ｂなどで構成され、装置の各種の動作モードを選択する際に操作される。
アルファベット／かなキー群１３は、アルファベットやかな等を入力するときに操作され、キーに対応する文字等が読み込まれ一時的にメモリへ記憶される。
【００１３】
電源スイッチ１４は、装置の電源をオン／オフするときに操作される。
決定キー１５は、所定の入力および選択を決定する際に操作される。
スクロールキー１６は、十字キー（上方向キー、下方向キー、左方向キー、右方向キー）およびページキー（ページ送り、ページ戻り）などで構成され、ＬＣＤ１１に表示されたカーソルを移動させたり、または、ＬＣＤ１１の表示をスクロールさせる際に操作される。
【００１４】
図２は、本発明の実施形態の機能構成を示すブロック図であり、同図において、電子辞書装置は、制御部２０、入力部２１、絞込設定部２２、並替設定部２３、検索部２４、辞書部２５、分類情報記憶部２６、表示部２７を含んで構成される。
【００１５】
入力部２１は、ファンクションキー１２、アルファベット／かなキー群１３、決定キー１５およびスクロールキー１６からの信号を入力する。
例えば、アルファベット／かなキー群１３等のキーの場合には、入力した文字を一時的にメモリへ累積記憶させる。
また、ファンクションキー１２の場合には、装置の動作モードが選択されて制御部２０が各種の動作を制御する。例えば、英和キーまたは和英キーはそれぞれ英和電子辞書または和英電子辞書を用いるかを選択し、それ以降選択した電子辞書を使って検索を行わせるために、選択状態を記憶する。絞込キーや並替キーはそれぞれの機能を設定または実行させる。
また、スクロールキー１６の場合には、主に、表示部２７によって制御され、ＬＣＤ１１に表示されるカーソルを移動させ、必要に応じて表示された情報をスクロールさせる。
また、決定キー１５の場合には、表示部２７で表示された情報に対して選択決定の信号が出され、制御部２０によって動作が制御される。
【００１６】
辞書部２５は、英和や和英といった辞書データを電子化し格納した辞書データベースである。各辞書データは、例えば、各項目に対して、表記、品詞、発音記号、訳語、例文等を記憶している。また、１つの項目に対して、複数の品詞を持つ場合もその項目にまとめて格納する。
【００１７】
分類情報記憶部２６は、図３に示すように、分類テーブル２６ａ、色テーブル２６ｂ、絞込／並替設定テーブル２６ｃから構成される。
分類テーブル２６ａのデータ構造は、例えば、図４（Ａ）に示すように、難易度をあらわす分類４１ごとに、その分類に属する項目名４２がリストされる構造を持っている。１つの項目が複数の分類に属していてもよい。
また、この分類４１は、検索結果の一覧表示の対象項目がどの分類に属するのかを示す“分類マーク”としても使われる。
図４（Ａ）では、難易度を対象学年（大学、高校、中学等）によって分類し、辞書部２５中の各項目をいずれかに分類し、分類ごとに項目名をリストして記憶している。
【００１８】
また、色テーブル２６ｂのデータ構造は、例えば、図４（Ｂ）に示すように、分類４１に示した分類の組み合わせを示す分類４３とそれに対する表示色４４とから構成される。
図４（Ｂ）では、難易度を表す分類４３とその表示色４４を対応させて記憶する。
【００１９】
絞込／並替設定テーブル２６ｃは、絞込みを行う分類および並び替えを行うときのキーとなる分類を優先順位つきで記憶する。
【００２０】
絞込設定部２２は、ファンクションキー１２の絞込キー１２ａを押下すると、制御部２０によって起動され、分類絞り込みの設定画面として、絞り込みを行う分類に該当する項目の一覧をＬＣＤ１１に表示する。
例えば、図５に示すように、現在設定されている絞り込み分類を表示する設定内容表示領域５１および絞り込み可能な分類５２のリストが分類絞り込み設定画面として表示される。
使用者は、設定画面の分類５２の中からスクロールキー１６を用いて選択カーソル５３を移動させ、絞り込みを行う分類を選択した後決定キー１５を押下すると、この設定された内容を分類情報記憶部２６の絞込／並替設定テーブル２６ｃに格納される。
【００２１】
並替設定部２３は、ファンクションキー１２の並替キー１２ｂを押下すると、制御部２０によって起動され、分類並び替えの設定画面として、例えば、図６に示すように、設定内容表示領域６１および並び替え可能な分類６２のリストを表示する。使用者が分類６２のリストからスクロールキー１６を用いて選択カーソル６３を移動させ分類を１つ以上選択し、決定キー１５により決定すると、設定された内容は分類情報記憶部２６の絞込／並替設定テーブル２６ｃに格納される。
【００２２】
検索部２４は、入力部２１で入力された文字が一時的にメモリへ記憶されるたびに、そのメモリへ累積された文字列を検索対象のキーとして、辞書部２５内を検索し、その結果を一時的にメモリへ記憶する。このメモリの内容は、検索結果一覧表示や絞り込みや並び替えの対象となる。
【００２３】
表示部２７は、検索文字列や検索結果一覧の内容をＬＣＤ１１に表示する。
この検索結果一覧は、例えば、図７に示すように、選択されている辞書の種類を表示する検索辞書名７１の表示領域、検索文字列を表示する入力欄７２、検索結果一覧をリスト番号７３、分類マーク７４、検索された項目７５を組として表示される。
【００２４】
（１）検索した後、表示部２７が起動された場合
一覧内に現れる項目が分類情報記憶部２６の分類テーブル２６ａに設定された分類に属しているかどうかを確認し、設定された分類に属する項目には、分類テーブル２６ａを参照して分類マークを付加し、さらに、色テーブル２６ｂを参照して、表示色を変えた一覧をＬＣＤ１１へ表示する。
【００２５】
（２）検索の後、絞込設定が行われて表示部２７が起動された場合
一覧内の項目の分類が分類情報記憶部２６の絞込／並替設定テーブル２６ｃに設定されている絞り込み分類に該当する項目だけを抽出し、その一覧をＬＣＤ１１に表示する。
【００２６】
（３）検索の後、並び替え設定が行われて表示部２７が起動された場合
分類情報記憶部２６の絞込／並替設定テーブル２６ｃに設定されている並び替えを行う分類順に一覧内の項目の分類を並び替え、その一覧をＬＣＤ１１に表示する。
【００２７】
例えば、分類が対象学年によって分類（例えば、中学基本語、高校標準語等）されている場合、検索結果一覧中の項目の分類に対する分類マーク（“中”、“高”、“大”等）が付加され表示される。また複数の分類に属する項目については、双方の色を組み合わせた色で分類マークを表示する（図４（Ｂ）参照）。
この表示により使用者の習熟度に応じて検索したい項目を素早く見つけられるような一覧表示が行われる。
【００２８】
制御部２０は、入力部２１、絞込設定部２２、並替設定部２３、検索部２４および表示部２７を入力信号に基づいて制御する。
制御部２０は、入力部２１でファンクションキー１２の英和または和英のいずれかのキーを入力すると、それらに対応する電子辞書を選択状態とする。
制御部２０は、入力部２１でアルファベット／かなキー群１３で文字を入力すると、検索対象の文字列として一時メモリへ累積させると同時に、累積される文字列をＬＣＤ１１へ表示させ、検索部２４を起動させて、累積された文字列に対する検索候補となる項目を一時的にメモリへ出力させ、表示部２７によってそのメモリに格納された項目を一覧として表示させる。
【００２９】
また、制御部２０は、入力部２１でファンクションキー１２のうち絞込キー１２ａを入力すると、検索実行前であれば、絞込設定部２２を起動させて、検索結果の一覧を絞り込む分類の設定または再設定を行わせる。
しかし、制御部２０は、検索実行した後にファンクションキー１２の絞込キー１２ａが押下された場合、絞込み分類が未設定の時にはまず絞込設定部２２を起動させてから、表示部２７を起動させる。このとき、すでに絞込み分類が設定されている時には、絞込設定部２２を起動させずに、表示部２７を起動させる。
【００３０】
また、制御部２０は、入力部２１でファンクションキー１２のうち並替キー１２ｂを入力すると、検索実行前であれば、並替設定部２３を起動させて、検索結果の一覧を並び替える分類の設定または再設定を行わせる。
しかし、制御部２０は、検索実行した後にファンクションキー１２の絞込キー１２ａが押下された場合、並び替え分類が未設定の時にはまず並替設定部２３を起動させてから、表示部２７を起動させる。このとき、すでに並び替え分類が設定されている時には、並替設定部２３を起動させずに表示部２７を起動させる。
【００３１】
上述では、絞り込みを行う分類の設定や分類の並び替え順の設定は、検索文字列を入力する前に設定するか、または、未設定のときには検索実行後に設定することができた。
この設定のタイミングを、入力部２１でファンクションキー１２のうち絞込キー１２ａまたは並替キー１２ｂを入力したときに、常に、絞込設定部２２または並替設定部２３を起動させて、検索結果の一覧を絞り込みまたは並び替える分類の設定または再設定を行わせるようにしてもよい。
この場合には、表示部２７は、次のように動作して一覧表示を行う。
まず、メモリに記憶された検索結果の一覧内に現れる項目が分類情報記憶部２６の分類テーブル２６ａに設定された分類に属しているかどうかを確認し、その分類が分類情報記憶部２６の絞込／並替設定テーブル２６ｃの絞り込み対象の分類であれば残し、それ以外ではその項目を一覧から削除する。
さらに、設定された分類に属する項目には、分類テーブル２６ａを参照して分類マークを付加し、さらに、色テーブル２６ｂを参照して、表示色を変える。
また、分類情報記憶部２６の絞込／並替設定テーブル２６ｃに並び替えする分類が指定されていれば、一覧を指定された分類をキーとして並び替えた一覧を作成して、最後に、この作成された一覧をＬＣＤ１１へ表示させる。
【００３２】
（Ａ）検索処理
次に、図８および図７を用いて、本発明の実施形態における検索結果一覧を表示する動作手順を説明する。
入力欄７２へアルファベット／かなキー群１３によって検索対象文字列「ｈｅａｒ」が入力される（ステップＳ１０１）。
この入力文字列に対応する辞書データを辞書部２５から検索して、候補をメモリへ書き込む（ステップＳ１０２）。
検索の結果、入力文字列に対応する情報がない場合（ステップＳ１０３のＮＯ）には終了する。
【００３３】
一方、検索結果がある場合（ステップＳ１０３のＹＥＳ）、メモリに記憶された各項目に対して、分類情報記憶部２６の分類テーブル２６ａの各分類のいずれに属しているかを検索して、分類の組み合わせを決定して分類マークを付加する（ステップＳ１０４）。
図７の分類マーク７４のように、難易度（中学生、高校生、大学生程度）が分類テーブルによって項目に指定されていれば、その難易度を表す“中”、“高”、“大”の分類マークが項目に付加される。
【００３４】
次に、分類情報記憶部２６内の色テーブル２６ｂからステップＳ１０４で決定した分類マークの表示色の設定を行って、検索結果一覧の情報をＬＣＤ１１にて表示する（ステップＳ１０５）。
検索結果の一覧は、図７のようにリスト番号７３、分類マーク７４、項目７５の順にＬＣＤ１１へ表示される。
【００３５】
一覧表示がされた後、使用者はＬＣＤ１１の表示を参照し、決定キー１５およびスクロールキー１６を操作することで検索された項目一覧の中から訳語などの詳細表示を行う項目を選択する。
これにより入力された文字列が電子辞書から検索され、検索結果である辞書データがＬＣＤ１１に表示される。
【００３６】
（Ｂ）絞り込み処理
図９および図１０をもとに、本発明の実施形態における検索結果一覧を分類により絞り込む動作手順を説明する。以下の説明では、検索する前に絞り込み設定として「大（大学生程度の難易度）」の分類が指定されているものとする。
検索結果一覧がＬＣＤ１１へ表示されているときに、ファンクションキー１２の絞込キー１２ａが押下された場合、分類情報記憶部２６の絞込／並替設定テーブル２６ｃから絞り込みを行う分類を読み出す（ステップＳ２０１）。
メモリに保持されている検索結果一覧から、絞り込む分類に該当する項目だけを抽出してメモリの内容を更新する（ステップＳ２０２）。
図７においては、分類「大」に該当する項目は、３番目，４番目，８番目の３つの項目である。
更新されたメモリの内容を検索結果一覧としてＬＣＤ１１に表示する（ステップＳ２０３）。
ステップＳ２０２で抽出された３つの項目は、図１０のように表示される。
【００３７】
（Ｃ）並び替え処理
図１１および図１２をもとに、本発明の実施形態における検索結果一覧を分類順に並び替える動作手順を説明する。以下の説明では、検索する前に並び替え設定として「大→高→中→（マーク無し）」の順に分類が指定されているものとする。
検索結果一覧がＬＣＤ１１へ表示されているときに、ファンクションキー１２の並替キー１２ｂが押下された場合、分類情報記憶部２６の絞込／並替設定テーブル２６ｃから並び替えを行う分類順を読み出す（ステップＳ３０１）。
メモリに保持されている検索結果一覧を読み出した分類順に並び替えを行いメモリの内容を更新する（ステップＳ３０２）。
図７においては、分類「大」に該当する項目は、３番目，４番目，８番目の３つの項目であるから、これらを先頭に、その他の分類「高」、「中」、「分類なし」の順に並び替えて後に追加する。
更新されたメモリの内容を検索結果一覧としてＬＣＤ１１に表示する（ステップＳ３０３）。
並び替えられた一覧は、図１２のように表示される。
【００３８】
さらに、本発明は上述した実施形態のみに限定されたものではない。上述した実施形態の電子辞書装置を構成する各機能をそれぞれプログラム化し、あらかじめＣＤ−ＲＯＭ等の記録媒体に書き込んでおき、このＣＤ−ＲＯＭをＣＤ−ＲＯＭドライブのような媒体駆動装置を搭載したコンピュータに装着して、これらのプログラムをコンピュータのメモリあるいは記憶装置に格納し、それを実行することによって、本発明の目的が達成されることは言うまでもない。
この場合、記録媒体から読み出されたプログラム自体が上述した実施形態の機能を実現することになり、そのプログラムおよびそのプログラムを記録した記録媒体も本発明を構成することになる。
【００３９】
なお、記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）等のいずれであってもよい。
【００４０】
また、ロードしたプログラムを実行することにより上述した実施形態の機能が実現されるだけでなく、そのプログラムの指示に基づき、オペレーティングシステム等が実際の処理の一部または全部を行い、その処理によって上述した実施形態の機能が実現される場合も含まれる。
【００４１】
また、上述したプログラムをサーバコンピュータの磁気ディスク等の記憶装置に格納しておき、インターネット等の通信網で接続された利用者のコンピュータからダウンロード等の形式で頒布する場合、このサーバコンピュータの記憶装置も本発明の記録媒体に含まれる。
【００４２】
【発明の効果】
以上説明したように本発明によれば、電子化された辞書において各辞書データにあらかじめ分類情報（例えば難易度など）を付加し、入力した文字列の検索結果一覧を表示する際に、付加された分類情報を基に検索された項目の表示色を変えて表示したり、または、重要度をあらわすマークを表示するので、使用者がその項目を選択して内容を表示させなくても探し当てたい項目に該当するかどうかを判断しやすくなる。
【図面の簡単な説明】
【図１】本発明の電子辞書装置の一実施形態の構成を示した概観図である。
【図２】本発明の実施形態の機能構成を示すブロック図である。
【図３】分類情報記憶部のデータ構造例である。
【図４】分類情報記憶部の分類テーブルおよび色テーブルのデータ構造例である。
【図５】検索結果の一覧を分類により絞込みを行うための設定画面例である。
【図６】検索結果の一覧を分類順に並び替えを行うための設定画面例である。
【図７】検索結果の一覧表示例である。
【図８】検索結果一覧を表示する動作手順を示したフローチャートである。
【図９】検索結果一覧を表示した際に分類による絞込み表示を行う動作手順を示したフローチャートである。
【図１０】検索結果一覧よりある分類で項目の絞込みを行った際の表示例である。
【図１１】検索結果一覧を表示した際に指定された分類順に並び替え表示を行う動作手順を示したフローチャートである。
【図１２】検索結果一覧を設定された分類順に並び替えを行った際の表示例である。
【符号の説明】
１１…ＬＣＤ、１２…ファンクションキー、１２ａ…絞込キー、１２ｂ…並替キー、１３…アルファベット／かなキー群、１４…電源スイッチ、１５…決定キー、１６…スクロールキー、２０…制御部、２１…入力部、２２…絞込設定部、２３…並替設定部、２４…検索部、２５…辞書部、２６…分類情報記憶部、２６ａ…分類テーブル、２６ｂ…色テーブル、２６ｃ…絞込／並替設定テーブル、２７…表示部、４１…分類、４２…分類に属する項目名、４３…分類、４４…分類マークの表示色、５１…設定内容表示領域、５２…分類、５３…選択カーソル、６１…設定内容表示領域、６２…分類、６３…選択カーソル、７１…検索辞書名、７２…入力欄、７３…リスト番号、７４…分類マーク、７５…検索された項目。
【図１】
2004118476.tif 000003
【図２】
2004118476.tif 000004
【図３】
2004118476.tif 000005
【図４】
2004118476.tif 000006
【図５】
2004118476.tif 000007
【図６】
2004118476.tif 000008
【図７】
2004118476.tif 000009
【図８】
2004118476.tif 000010
【図９】
2004118476.tif 000011
【図１０】
2004118476.tif 000012
【図１１】
2004118476.tif 000013
【図１２】
2004118476.tif 000014